【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
ストライクフェイス、及び、前記ストライクフェイスの周囲から後方に延びる周囲フレームを備える金属製のフロント本体と、
前記金属製のフロント本体に結合されて、実質的に中空の構造を画定するリア本体と、を備え、
前記リア本体は、クラウン部材、及び、前記クラウン部材に結合されるソール部材を備え、
前記ソール部材は、
充填材入り熱可塑性材料から形成され、前記クラウン部材に接合される構造層であって、前記構造層の厚みを通って延びる複数の開口部を備える前記構造層と、
前記複数の開口部のそれぞれを横切って延びるように、前記構造層の外側面に接合される弾性層であって、繊維強化熱可塑性複合材料から形成される前記弾性層と、を備え、
前記構造層及び前記弾性層は、それぞれ、共通の熱可塑性樹脂成分を備え、
前記構造層は、中間的な接着材を使用することなく、前記弾性層に直接接合される、
ゴルフクラブヘッド。
【請求項２】
前記構造層は、さらに、
前記金属製のフロント本体に接触しており、接合される前方部分と、
前記前方部分から離間している加重部分と、
前記前方部分から、前記加重部分及び前記複数の開口部のうちの少なくとも２つの開口部の間に延びる補強部材であって、前記前方部分と前記加重部分の両方と一体に成形される前記補強部材と、を備え、
前記ソール部材は、さらに、前記構造層の前記加重部分に少なくとも部分的に埋め込まれる、又は、接着材で接合される金属製のウェイトを備える、請求項１に記載のゴルフクラブヘッド。
【請求項３】
前記リア本体の外側面は、前記クラウン部材の外側面、前記弾性層の外側面、及び、前記構造層の前記外側面の一部を備える、請求項１又は２に記載のゴルフクラブヘッド。
【請求項４】
前記金属製のフロント本体は、さらに、前記フレームの外側面から内側方向に窪んだ接合フランジを備え、
前記構造層は、前記接合フランジに接着的に接合されており、
前記弾性層の外側面は、前記フレームの外側面と面一である、請求項１から３のいずれか一項に記載のゴルフクラブヘッド。
【請求項５】
前記金属製のフロント本体は、さらに、前記フレームを前記接合フランジに結合する延長壁を備え、
前記構造層は、さらに、
前記金属製のフロント本体に接触しており、接合される前方部分と、
前記前方部分から離間している加重部分と、
前記前方部分から、前記加重部分及び前記複数の開口部のうちの少なくとも２つの開口部の間に延びる補強部材であって、前記前方部分と前記加重部分の両方と一体に成形される前記補強部材と、を備え、
前記構造層及び前記弾性層は、それぞれ、前記延長壁に当接し、
前記補強部材は、前記ストライクフェイスとゴルフボールとの間のインパクト中において、前記加重部分と前記延長壁の間に動的な負荷を伝達するように作用する、請求項４に記載のゴルフクラブヘッド。
【請求項６】
前記共通の熱可塑性樹脂成分は、ポリフェニレン・サルファイド、又は、ポリエーテル・エーテル・ケトンを含む、請求項１から５のいずれか一項に記載のゴルフクラブヘッド。
【請求項７】
前記フレームは、クラウン部分及びソール部分を備え、
前記ゴルフクラブヘッドは、ヒール領域、トウ領域、及び、前記ヒール領域と前記トウ領域の間に配置された中心領域を備え、
前記フレームの前記ソール部分は、前記ヒール領域内で前記ストライクフェイスから第１の平均距離、前記トウ領域内で前記ストライクフェイスから第２の平均距離、及び、前記中心領域内で前記ストライクフェイスから第３の平均距離を延びる後方縁部を画定し、
前記第３の平均距離は、前記第１の平均距離及び前記第２の平均距離の両方よりも大きい、請求項１から６のいずれか一項に記載のゴルフクラブヘッド。
【請求項８】
ゴルフクラブヘッドであって、
ストライクフェイス、及び、前記ストライクフェイスの周囲から後方に延びる周囲フレームを備える金属製のフロント本体と、
前記金属製のフロント本体に結合されて、実質的に中空の構造を画定するリア本体と、を備え、
前記リア本体は、ソール部材に結合されたクラウン部材を備え、
前記ソール部材は、
構造層であって、
前記金属製のフロント本体に接触しており、接合される前方部分と、
前記前方部分から離間している加重部分と、
前記構造層の厚みを通って延びる複数の開口部であって、前記前方部分及び加重部分は、前記複数の開口部の少なくとも１つの反対側に配置される、前記複数の開口部と、
複数の補強部材であって、前記複数の補強部材のそれぞれは、前記前方部分から前記加重部分まで延び、かつ、前記複数の開口部の少なくとも２つの間で延びる、前記複数の補強部材と、を備える前記構造層と、
前記金属製のフロント本体に当接し、前記複数の開口部のそれぞれを横切って延びるように、前記構造層の外側面に接合される弾性層と、
前記構造層の前記加重部分に少なくとも部分的に埋め込まれる、又は、接着剤で接合される金属製のウェイトと、を備え、
前記構造層は、充填材入り熱可塑性材料から形成され、
前記弾性層は、繊維強化熱可塑性複合材料から形成される、ゴルフクラブヘッド。
【請求項９】
前記弾性層は、中間的な接着材を使用することなく、前記構造層に直接接合される、請求項８に記載のゴルフクラブヘッド。
【請求項１０】
前記構造層は、さらに、前記加重部分と前記前方部分の間で延びる後方周辺部分を備え、
前記後方周辺部分は、前記クラウン部材に接合される、請求項８又は９に記載のゴルフクラブヘッド。
【請求項１１】
前記複数の補強部材のうちの少なくとも１つは、前記加重部分から離れた前記後方周辺部分へと延びる、請求項１０に記載のゴルフクラブヘッド。
【請求項１２】
前記リア本体の外側面は、前記クラウン部材の外側面、前記弾性層の外側面、及び、前記構造層の前記外側面の一部を備える、請求項８から１１のいずれか一項に記載のゴルフクラブヘッド。
【請求項１３】
前記金属製のフロント本体は、さらに、前記フレームの外側面から内側方向に窪んだ接合フランジを備え、
前記構造層は、前記接合フランジに接着的に接合されており、
前記弾性層の外側面は、前記フレームの外側面と面一である、請求項８から１２のいずれか一項に記載のゴルフクラブヘッド。
【請求項１４】
前記金属製のフロント本体は、さらに、前記フレームを前記接合フランジに結合する延長壁を備え、
前記構造層及び前記弾性層のそれぞれは、前記延長壁に当接し、
前記複数の補強部材は、前記ストライクフェイスとゴルフボールとの間のインパクト中において、前記加重部分と前記延長壁に動的な負荷を伝達するように作用する、請求項１３に記載のゴルフクラブヘッド。
【請求項１５】
前記フレームは、クラウン部分及びソール部分を備え、
前記ゴルフクラブヘッドは、ヒール領域、トウ領域、及び、前記ヒール領域と前記トウ領域の間に配置された中心領域を備え、
前記フレームの前記ソール部分は、前記ヒール領域内で前記ストライクフェイスから第１の平均距離、前記トウ領域内で前記ストライクフェイスから第２の平均距離、及び、前記中心領域内で前記ストライクフェイスから第３の平均距離を延びる後方縁部を画定し、
前記第３の平均距離は、前記第１の平均距離及び前記第２の平均距離の両方よりも大きい、請求項８から１４のいずれか一項に記載のゴルフクラブヘッド。
【請求項１６】
前記加重部分、及び、前記ストライクフェイスの幾何学的中心は、前記中心領域内に位置する、請求項１５に記載のゴルフクラブヘッド。
【請求項１７】
前記充填材入り熱可塑性材料及び前記繊維強化熱可塑性複合材料のそれぞれは、共通の樹脂成分を含み、
前記共通の樹脂成分は、前記充填材入り熱可塑性材料中に第１の量で存在し、前記繊維強化熱可塑性複合材料中に前記第１の量未満の第２の量で存在する、請求項８から１６のいずれか一項に記載のゴルフクラブヘッド。
【請求項１８】
前記共通の樹脂成分は、ポリフェニレン・サルファイド、又はポリエーテル・エーテル・ケトンを含む、請求項１７に記載のゴルフクラブヘッド。
【請求項１９】
前記第１の量は、容積で約５５％を超え、
前記第２の量は、容積で約３５％未満である、請求項１７又は１８に記載のゴルフクラブヘッド。
【請求項２０】
多材料のゴルフクラブヘッドを製造する方法であって、
熱可塑性樹脂母材及び織られた繊維強化層を備える繊維強化複合材から、第１のソール層を熱成形するステップと、
前記熱成形された第１のソール層に直接接触させて第２のソール層を射出成形するステップであって、前記第２のソール層は、充填材入り熱可塑性樹脂を含み、前記熱可塑性樹脂母材及び前記充填材入り熱可塑性樹脂は、それぞれ、共通の熱可塑性ポリマーを含む、ステップと、
クラウン部材を前記第２のソール層に接合するステップと、
実質的に中空の構造を画定するために、前記第１のソール層及び前記クラウン部材を金属製の前方本体に接合するステップであって、前記金属製の前方本体は、ストライクフェイス及びホーゼルを備える、ステップと、
を備える方法。